(57)【要約】【課題】不安定な通信状態でも携帯端末と設置側端末との間で行われる情報伝達処理の同期を確実う。【解決手段】携帯端末側処理装置１と、携帯端末側処理装置１に組み合わされて情報通信を行うための携帯端末側通信装置２と、設置側処理装置３と、設置側通信装置４と、および情報通信の電界伝達媒体として人体５がある。この構成により、設置側処理装置３と携帯端末側処理装置１との間で通信して、パケットに含まれる処理状態情報に基づき、それぞれの情報処理プログラムにおける処理状態を合致させながら処理を進めていく。【選択図】図１
2007201542.tif 000002
【特許請求の範囲】
【請求項１】
電界伝達媒体に誘起した電界を介して相互に通信可能な第１の電界通信トランシーバと第２の電界通信トランシーバとの同調により情報処理を実行するための電界通信システムであって、
前記第１の電界通信トランシーバは、
前記第１の電界通信トランシーバで前記情報処理を実行するための第１の情報処理プログラムの処理状態を第１の処理状態情報として記憶するための第１の処理状態記憶手段を備え、
前記第２の電界通信トランシーバは、
前記第２の電界通信トランシーバで前記情報処理を実行するための第２の情報処理プログラムの処理状態を第２の処理状態情報として記憶するための第２の処理状態記憶手段と、
受信した前記第１の処理状態情報に前記第２の処理状態情報を合致して同調させて前記第２の情報処理プログラムを実行し、前記第１の処理状態情報が受信不能となった後に該受信が再開した場合において、前記受信不能となる直前の前記第２の処理状態情報に合致した前記第１の処理状態情報を再受信して同調し前記第２の情報処理プログラムの実行を再開するための情報処理手段と、
を備えることを特徴とする電界通信システム。
【請求項２】
前記第１の電界通信トランシーバは、
前記情報処理手段からの要求に応じた前記第１の処理状態情報を提供するための処理状態情報提供手段を備えることを特徴とする請求項１に記載の電界通信システム。
【請求項３】
前記第１の情報処理プログラムと前記第２の情報処理プログラムを同調して実行することにより認証処理を実行することを特徴とする請求項１または２に記載の電界通信システム。
【発明の詳細な説明】
【技術分野】
【０００１】
本発明は、電界を電界伝達媒体に誘起し、この誘起した電界を検出して情報の送受信を行う通信に適用する電界通信システムに関する。
【背景技術】
【０００２】
携帯端末の小型化および高性能化により、生体に装着可能なウェアラブルコンピュータが注目されてきている。従来、このようなウェアラブルコンピュータ間の情報通信として、コンピュータに電界通信システムを接続して装着し、この電界通信システムが誘起する電界を、電界伝達媒体である生体を介して伝達させることによって、情報の送受信を行う方法が提案されている（特許文献１、２参照）。
【０００３】
このような電界通信システムを用いて、通信媒体である人体に電界を誘起し、誘起された電界を検出して通信を行う電界通信を利用した情報通信により、情報源に触れた人体に情報を送ることができる。このような情報通信によれば、たとえば人体が所定の装置に触れたときに個人認証を行い、さらにコンテンツやサービスなどの提供に対する課金を行う電界通信システムを構築することもできる。
【０００４】
この電界通信システムでは、人体が持ち歩く携帯端末と、ゲートや自動販売機に備え付けられた設置側端末と、で構成される。設置側端末では送信要求信号を常に出力しておき、応答があった場合に個人認証等の動作を開始する。また、携帯端末では送信要求信号を受信した場合にＩＤの送信等の処理を行う。
【特許文献１】特開２００４−１５３７０８号公報
【特許文献２】Ｕｎｉｔｅｄ  Ｓｔａｔｅｓ  Ｐａｔｅｎｔ  Ａｐｐｌｉｃａｔｉｏｎ  Ｐｕｂｌｉｃａｔｉｏｎ，  Ｐｕｂ．Ｎｏ．：ＵＳ２００４／００９２２９６Ａ１  Ｐｕｂ．Ｄａｔｅ：Ｍａｙ  １３，  ２００４
【発明の開示】
【発明が解決しようとする課題】
【０００５】
しかしながら上述のような従来の電界通信システムでは、設置側端末に人体が触れ始めたときや、あるいは触れている最中でも情報通信の媒体となる通信路における通信状態が不安定でパケットが届かないことがあり、携帯端末と設置側端末との間で行われる情報伝達処理の同期ができないことがあった。
【０００６】
本発明は上記を鑑みてなされたものであり、その目的は、不安定な通信状態でも携帯端末と設置側端末との間で行われる情報伝達処理の同期を確実うことにある。
【課題を解決するための手段】
【０００７】
上記の目的を達成するために、請求項１に記載の本発明は、電界伝達媒体に誘起した電界を介して相互に通信可能な第１の電界通信トランシーバと第２の電界通信トランシーバとの同調により情報処理を実行するための電界通信システムであって、前記第１の電界通信トランシーバは、前記第１の電界通信トランシーバで前記情報処理を実行するための第１の情報処理プログラムの処理状態を第１の処理状態情報として記憶するための第１の処理状態記憶手段を備え、前記第２の電界通信トランシーバは、前記第２の電界通信トランシーバで前記情報処理を実行するための第２の情報処理プログラムの処理状態を第２の処理状態情報として記憶するための第２の処理状態記憶手段と、受信した前記第１の処理状態情報に前記第２の処理状態情報を合致して同調させて前記第２の情報処理プログラムを実行し、前記第１の処理状態情報が受信不能となった後に該受信が再開した場合において、前記受信不能となる直前の前記第２の処理状態情報に合致した前記第１の処理状態情報を再受信して同調し前記第２の情報処理プログラムの実行を再開するための情報処理手段と、を備える。
【０００８】
また、請求項２に記載の本発明は、請求項１において、前記第１の電界通信トランシーバは、前記情報処理手段からの要求に応じた前記第１の処理状態情報を提供するための処理状態情報提供手段を備える。
【０００９】
また、請求項３に記載の本発明は、請求項１または２において、前記第１の情報処理プログラムと前記第２の情報処理プログラムを同調して実行することにより認証処理を実行する。
【発明の効果】
【００１０】
本発明によれば、不安定な通信状態でも携帯端末と設置側端末との間で行われる情報伝達処理の同期を確実に行うことができる。
【発明を実施するための最良の形態】
【００１１】
図１に、電界通信システムに係る実施の形態のブロック図を示す。この図１には、携帯端末側処理装置（第１の電界通信トランシーバ）１と、携帯端末側処理装置１に組み合わされて情報通信を行うための携帯端末側通信装置（第１の電界通信トランシーバ）２と、設置側処理装置（第２の電界通信トランシーバ）３と、設置側通信装置（第２の電界通信トランシーバ）４と、および情報通信の電界伝達媒体としての人体５が示されている。また、携帯端末側処理装置１は、記憶部（第１の処理状態記憶手段）６と、タイマ７と、処理部（処理状態情報提供手段）８を備えている。同様に設置側処理装置３においても記憶部（第２の処理状態記憶手段）９と、タイマ１０と、処理部（情報処理手段）１１と、を備えている。
【００１２】
次に図２に示すのは図１に示したブロック図において情報処理の通信に使用するパケットのデータ形式の一例を示している。図１に示したブロック図の電界通信システムでは、情報処理の過程においていくつかの段階ごとを単位とした処理状態を持っており、設置側処理装置３における処理状態（第２の処理状態情報）と携帯端末側処理装置１における処理状態（第１の処理状態情報）とが合致して同調するように相互に通信しつつ情報処理を実行する。
【００１３】
図２に示すように、通信に使用するパケット１５はパケット１５の始まりと終わりを示す情報であるヘッダ１６とフッタ１９、およびデータ１７、情報処理を実行する情報処理プログラムの処理状態１８で構成される。処理状態１８の内容はその情報処理プログラムの実行過程の段階に応じて更新されている。
【００１４】
次に、図３に設置側処理装置３において実行する情報処理プログラム（第２の情報処理プログラム）のフロー図を示し、図４には携帯端末側処理装置１において実行する情報処理プログラム（第１の情報処理プログラム）のフロー図を示す。
【００１５】
まず、図３に示すフロー図において、設置側処理装置３が備えるタイマ７が動作を開始し、タイマオン状態になる（Ｓ１）。次に、タイマ７の計時動作の経過時間が確認される。所定の経過時間Ｔ１が経過したか否かがＹｅｓ／Ｎｏで判断される（Ｓ２）。Ｔ１が経過した場合（Ｙｅｓ）は次ステップへ進み、経過していない場合（Ｎｏ）は再び計時が継続される。
【００１６】
計時時間Ｔ１が経過した後に設置側処理装置３における現在の処理状態および送信要求信号を携帯端末側処理装置１へ送信する（Ｓ３）。送信要求信号の送信に対して携帯端末側処理装置１から応答が有る場合は次ステップへ処理が進み、応答が無い場合（受信不能）は再びＳ１の処理へ戻る（Ｓ４）。
【００１７】
Ｓ３において実行された送信要求信号の送信に対して携帯端末側処理装置１が応答した場合か、あるいは再受信した場合には、その応答に続いて携帯端末側処理装置１の現在の処理状態を読取る（Ｓ５）。読取った携帯端末側処理装置１の現在の段階の処理状態に合致する段階の処理状態を処理実行の始点とし、設置側処理装置３における情報処理を実行する（Ｓ６）。
【００１８】
次に、設置側処理装置３における処理実行状態を携帯端末側処理装置１へ通知（送信）する（Ｓ７）。この通知に対して携帯端末側処理装置１からの応答の有無を確認する（Ｓ８）。
【００１９】
Ｓ８において携帯端末側処理装置１からの応答が無かった場合（Ｎｏ）には、応答を待つためのカウンタがカウント中であるか否かが判断される（Ｓ９）。カウントが開始されていない場合（Ｎｏ）はカウントを開始し、再びＳ７以降の処理を実行する（Ｓ１０）。
【００２０】
一方、Ｓ９の確認においてカウント中である場合（Ｙｅｓ）は、カウンタインクリメントが実行され、カウンタのカウント値が増加する（Ｓ１１）。そしてカウント値が増加することにより、カウンタ値があらかじめ設定された応答待ち時間よりもオーバーしたか否かが判断される（Ｓ１２）。この判断においてオーバーしたと判断されると（Ｙｅｓ）、処理はＳ１に戻る。オーバーしていないと判断されると（Ｎｏ）、処理はＳ７へ戻る。
【００２１】
なお、Ｓ８において携帯端末側処理装置１からの応答が有った場合（Ｙｅｓ）には、必要な全ての情報処理が終了しているか否かが判断される（Ｓ１３）。この判断で処理が終了していなければ（Ｎｏ）再びＳ５の処理に戻る。一方、処理が終了している（Ｙｅｓ）場合には再びＳ１へ処理が戻る。
【００２２】
次に図４に示すフロー図において、携帯端末側処理装置１に組み合わされた携帯端末側通信装置２が起動する。この起動は携帯端末側処理装置１からの起動命令により実行され、携帯端末側通信装置２が備える図示しない通信装置受信部が設置側通信装置４からの通信を受信可能に待機する（Ｓ２０）。待機中の携帯端末側通信装置２において受信の有無が監視され（Ｓ２１）、受信が無い（Ｎｏ）場合は携帯端末側通信装置２の通信装置受信部を停止させ、同時にタイマを起動させる（Ｓ２２）。このタイマは通信装置受信部が次回に起動するまでの待ち時間を計時するための計時手段である。
【００２３】
そして、タイマが起動して計時が開始され、あらかじめ設定された所定の待ち時間が経過（タイマオーバー）したか否かが判断される（Ｓ２３）。タイマオーバーしていない（Ｎｏ）と判断されると再びＳ２３を繰り返す。タイマオーバーしている（Ｙｅｓ）と判断すると再びＳ２０へ処理が戻る。
【００２４】
一方、Ｓ２１において実行される受信の有無の監視において受信があった（Ｙｅｓ）と判断されると、次に設置側処理装置３における情報処理プログラムの処理状態を読み取り、自己の情報処理プログラムを初期化するとともに携帯端末側通信装置２の図示しない送信部を起動する（Ｓ２４）。
【００２５】
次に携帯端末側処理装置１の自己の処理状態を応答信号とともに設置側処理装置３へ送信する（Ｓ２５）。この送信に対して設置側処理装置３からの応答が受信されているか否かを監視する（Ｓ２６）。この監視において受信されている（Ｙｅｓ）と判断されると、設置側処理装置３における現在の段階の処理状態を読み取り、読取った処理状態に合致する段階の処理状態を処理開始の始点として情報処理プログラムを実行する（Ｓ２９）。
【００２６】
次に情報処理プログラムが所定の情報処理をすべて終了したか否かが確認される（Ｓ３０）。この確認により情報処理が終了していなければ（Ｎｏ）再びＳ２５の処理を実行する。一方、情報処理が終了していれば（Ｙｅｓ）携帯端末側通信装置２が備える図示しない送信部からの送信を停止し、その後にＳ２２の処理を実行する（Ｓ３３）。
【００２７】
なお、Ｓ２７において待ち時間のカウントが進行中である場合（Ｙｅｓ）は、カウンタインクリメントが実行され、計時値が増加される（Ｓ３１）。そして計時があらかじめ設定された所定の待ち時間をオーバーしたか否かが判断され、オーバーした場合（Ｙｅｓ）はＳ３３へ処理が進み、オーバーしていない（Ｎｏ）場合はＳ２６へ処理が戻る。
【００２８】
このように図３および図４に示したフロー図において、設置側処理装置３では定期的に送信要求信号を出力している。このとき設置側処理装置３の処理部１１で実行される情報処理プログラムの処理状態が初期であることも通知する。なお、この処理状態は情報処理プログラムの進行に伴い逐次に変化する情報であり、記憶部９に記憶されている。
【００２９】
一方、携帯端末側処理装置１では低消費電力化のために定期的に携帯端末側通信装置２の図示しない受信部を起動し、送信要求信号が送信されているかを監視しており、何も受信しなければ受信部を停止して一定期間待機する。
【００３０】
また、携帯端末側処理装置１びて受信した場合には、設置側処理装置３の情報処理プログラムにおける処理状態が初期状態であれば自己（携帯端末側処理装置１）の処理部８にて実行する情報処理プログラムを初期状態にし、設置側処理装置３に合わせる。そして携帯端末側通信装置２の図示しない送信部を起動し応答信号と自己（携帯端末側処理装置１）の情報処理プログラムの処理状態を送信する。なお、この処理状態は情報処理プログラムの進行に伴い逐次に変化する情報であり、記憶部６に記憶されている。
【００３１】
この後、設置側処理装置３と携帯端末側処理装置１のそれぞれの情報処理プログラムにおける処理状態を合致させながら処理を進めていく。途中で通信が途切れて設置側処理装置３で携帯端末側処理装置１の送信信号を受信できなくなった場合、設置側処理装置３では記憶部９に記憶された現在の処理状態を送信し続ける。
【００３２】
一方、携帯端末側処理装置１では、あらかじめ設定された待ち時間の間で受信するまで待機し、受信した場合には設置側処理装置３の処理状態に合わせて自己（携帯端末側処理装置１）の処理状態を決定し、処理を再開する。携帯端末側処理装置１において受信のない場合には、携帯端末側通信装置２の送信部と受信部を一旦停止して設置側処理装置３からの送信要求信号を受信する状態に戻る。
【００３３】
また、設置側処理装置３においては、携帯端末側処理装置１からの応答信号があらかじめ設定された待ち時間内に受信しない場合には、情報処理プログラムを初期状態に戻し、送信要求信号を定期的に出力する状態に戻る。
【００３４】
以上説明した実施の形態によれば、不安定な通信状態でも携帯端末側処理装置１と設置側処理装置３との間で行われる情報伝達処理の同期を確実に行うことができる。
【図面の簡単な説明】
【００３５】
【図１】電界通信システムの実施の形態の構成図を示す。
【図２】電界通信システムの実施の形態に係るパケットのフレーム構造例を示す。
【図３】電界通信システムの実施の形態に係る設置側処理装置のフロー図を示す。
【図４】電界通信システムの実施の形態に係る携帯端末側処理装置のフロー図を示す。
【符号の説明】
【００３６】
１  携帯端末側処理装置
２  携帯端末側通信装置
３  設置側処理装置
４  設置側通信装置
５  人体
６、９  記憶部
７、１０  タイマ
８、１１  処理部
【図１】
2007201542.tif 000003
【図２】
2007201542.tif 000004
【図３】
2007201542.tif 000005
【図４】
2007201542.tif 000006